(57)【特許請求の範囲】
【請求項１】
納骨室と、前記納骨室に通じる開口を開閉する扉と、前記開口の下側に配置された敷居材としてのベースと、前記扉の前に配置された香炉とを備えた墓であって、
前記香炉は、前記ベース上に載置されており、
前記香炉は、上下方向に積み重ねられた複数の部材からなる香炉本体と棒状の固定ピンとを備え、
前記複数の部材のうち最下位に位置する部材は、前記ベース上に載置された香炉下部であり、
前記複数の部材のうち最上位に位置する部材は、上面に線香を焚く香炉皿が形成された香炉上部であり、
前記香炉下部に、前記香炉下部を上下方向に貫通する貫通孔が形成されており、
前記ベースの上面には、固定孔が形成されており、
前記固定ピンは前記香炉下部の前記貫通孔に引き抜き可能に挿入され、その下端は前記ベースの前記固定孔に嵌入されており、
前記香炉下部上に載置された部材は、前記香炉下部の前記貫通孔及び前記固定ピンの上端を覆うことを特徴とする墓。
【請求項２】
前記固定ピンの上端を掴んで前記固定ピンを前記貫通孔から引き抜くことができるように、前記固定ピンの上端は前記貫通孔から上方に向かって突出している請求項１に記載の墓。
【請求項３】
前記香炉下部の上面には凹部が形成されており、前記貫通孔は前記凹部内に形成されている請求項１又は２に記載の墓。
【請求項４】
前記複数の部材の少なくとも一つの側面には、手入れ用の窪みが形成されている請求項１〜３のいずれかに記載の墓。
【請求項５】
前記複数の部材は、前記香炉下部と前記香炉上部のみからなる請求項１〜４のいずれかに記載の墓。
【請求項６】
前記複数の部材の材料が同じである請求項１〜５のいずれかに記載の墓。
【請求項７】
前記香炉は、前記皿状部を覆うように前記香炉上部上に載置された香炉蓋を更に備える請求項１〜６のいずれかに記載の墓。
【発明の詳細な説明】
【技術分野】
【０００１】
本発明は墓に関する。特に、納骨室に通じる開口を開閉する扉の前に香炉が配置された墓に関する。
【背景技術】
【０００２】
一般に、墓は、骨壺を収容する納骨室と、納骨室に通じる開口とを備えている。開口には、開閉可能な扉（納骨室扉）が設けられる。扉の前には香炉が配置される（例えば、特許文献１参照）。
【０００３】
香炉は、一般に御影石などの石材を用いて作成されており、非常に重い。このような香炉が扉の前に配置されているので、他人が扉を開いて、納骨室内の収容物を盗難したり、いたずらしたりするのを防止することができる。
【０００４】
しかしながら、納骨室に複数の骨壺を順次収容する場合、そのたびに香炉を移動させて、納骨室に通じる扉を開かなければならない。香炉は非常に重いので、素人が香炉を移動させるのは困難である。従って、納骨するために、専門の業者に香炉を移動させる作業を依頼する必要が生じ、これは墓の所有者にとって負担であった。
【０００５】
特許文献２には、香炉を鉛直方向面に沿って２つの分割体に分割し、各分割体に車輪を取り付けて、各分割体をレール上で走行可能にすることが記載されている。
【先行技術文献】
【特許文献】
【０００６】
【特許文献１】登録実用新案第３０１３４９０号公報
【特許文献２】特開２００８−１１５６５６号公報
【特許文献３】特許第２７８３９３９号明細書
【特許文献４】特開２００５−２０７１９３号公報
【発明の概要】
【発明が解決しようとする課題】
【０００７】
特許文献２によれば、各分割体をレール上に走行可能に設置しているので、納骨時に香炉を移動させて、その背後の扉を開く作業が容易になる。
【０００８】
ところが、香炉の移動が容易になると、盗難やいたずらを防止するという香炉の一機能が低下する。
【０００９】
本発明は、香炉の移動が容易であり、且つ、盗難やいたずらを防止することもできる墓を提供することを目的とする。
【課題を解決するための手段】
【００１０】
本発明の墓は、納骨室と、前記納骨室に通じる開口を開閉する扉と、前記開口の下側に配置された敷居材としてのベースと、前記扉の前に配置された香炉とを備える。前記香炉は、前記ベース上に載置されている。前記香炉は、上下方向に積み重ねられた複数の部材からなる香炉本体と棒状の固定ピンとを備える。前記複数の部材のうち最下位に位置する部材は、前記ベース上に載置された香炉下部である。前記複数の部材のうち最上位に位置する部材は、上面に線香を焚く香炉皿が形成された香炉上部である。前記香炉下部に、前記香炉下部を上下方向に貫通する貫通孔が形成されている。前記ベースの上面には、固定孔が形成されている。前記固定ピンは前記香炉下部の前記貫通孔に引き抜き可能に挿入され、その下端は前記ベースの前記固定孔に嵌入されている。前記香炉下部上に載置された部材は、前記香炉下部の前記貫通孔及び前記固定ピンの上端を覆う。
【発明の効果】
【００１１】
本発明によれば、香炉の香炉本体が、上下方向に積み重ねられた複数の部材に分割されているので、個々の部材に分解することにより、香炉の移動は容易である。
【００１２】
香炉下部の貫通孔に挿入された固定ピンが、ベースの固定孔に嵌入されているので、固定ピンを貫通孔から引き抜かない限り、香炉を移動させることは困難である。また、貫通孔及び固定ピンの上端は、香炉下部の上に載置された部材で覆われているので、固定ピンの存在は認識されにくい。従って、香炉が移動されて盗難やいたずらをされるのを防止することができる。
【図面の簡単な説明】
【００１３】
【図１Ａ】図１Ａは、本発明の一実施形態に係る墓の正面図である。
【図１Ｂ】図１Ｂは、図１Ａの１Ｂ−１Ｂ線を含む上下方向面に沿った、本発明の一実施形態に係る墓の側面断面図である。
【図１Ｃ】図１Ｃは、図１Ａの１Ｃ−１Ｃ線を含む水平方向面に沿った、本発明の一実施形態に係る墓の平面断面図である。
【図２】図２は、本発明の一実施形態に係る墓を構成するベースの上方から見た斜視図である。
【図３】図３は、本発明の一実施形態に係る墓に用いられる香炉の分解斜視図である。
【図４】図４Ａは、香炉下部の平面図である。図４Ｂは、香炉下部の正面図である。図４Ｃは、香炉下部の右側面図である。
【図５】図５Ａは、香炉上部の平面図である。図５Ｂは、香炉上部の正面図である。図５Ｃは、香炉上部の右側面図である。
【図６】図６Ａは、香炉蓋の平面図である。図６Ｂは、香炉蓋の正面図である。図６Ｃは、香炉蓋の右側面図である。
【発明を実施するための形態】
【００１４】
上記の本発明の墓の好ましい実施形態では、前記固定ピンの上端を掴んで前記固定ピンを前記貫通孔から引き抜くことができるように、前記固定ピンの上端は前記貫通孔から上方に向かって突出している。この好ましい実施形態によれば、香炉を分解して扉の前から移動させる作業が更に容易になる。
【００１５】
上記の本発明の墓の好ましい実施形態では、前記香炉下部の上面には凹部が形成されている。この場合、前記貫通孔は前記凹部内に形成されていることが好ましい。この好ましい実施形態によれば、香炉の分解作業及び組立作業において、香炉下部の上に載置される部材が固定ピンの上端に衝突して当該部材や固定ピンを破損してしまうトラブルの発生を防止することができる。
【００１６】
上記の本発明の墓の好ましい実施形態では、前記複数の部材の少なくとも一つの側面には、手入れ用の窪みが形成されている。この好ましい実施形態によれば、香炉の分解作業及び組立作業が容易になる。
【００１７】
上記の本発明の墓の好ましい実施形態では、前記複数の部材は、前記香炉下部と前記香炉上部のみからなる。この好ましい実施形態によれば、香炉本体を構成する部材の数が最少になるので、香炉の分解作業及び組立作業を簡単化することができ、また、香炉の製作コストを低減することができる。
【００１８】
上記の本発明の墓の好ましい実施形態では、前記複数の部材の材料が同じである。この好ましい実施形態によれば、複数の部材からなる香炉本体が一体の一部品と認識されやすくなるので、盗難やいたずらの防止に有利である。
【００１９】
上記の本発明の墓の好ましい実施形態では、前記香炉は、前記皿状部を覆うように前記香炉上部上に載置された香炉蓋を更に備える。この好ましい実施形態によれば、香炉上部の香炉皿が雨や雪に曝されるのを防ぐことができる。
【００２０】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する部材のうち、本発明を説明するために必要な主要部材のみを簡略化して示したものである。従って、本発明は以下の各図に示されていない任意の部材を備え得る。
【００２１】
図１Ａは、本発明の一実施形態に係る墓１の正面図である。図１Ｂは、図１Ａの１Ｂ−１Ｂ線を含む上下方向面に沿った墓１の側面断面図である。図１Ｃは、図１Ａの１Ｃ−１Ｃ線を含む水平方向面に沿った墓１の平面断面図である。以下の説明の便宜のため、図１Ｂに示すように墓１を側方から見たときに、墓１の正面側（図１Ｂの左側）を「前」側といい、その反対側（図１Ｂの右側）を「後ろ」側又は「裏」側という。図１Ａに示すように墓１を正面から見たときの水平方向を「左右方向」という。
【００２２】
本実施形態の墓１は、沖縄地域で一般的な破風型である。墓１は、複数の石材が組み合わされた石組み構造体である。石材としては、制限はないが、例えば、御影石、大理石、石灰石などの天然石を用いることができる。納骨室２を取り囲む側壁及び屋根は、平板状の石板を接合して構成されている。好ましくは、隣り合う石板間には、スペーサを介在させ、且つ、防水性の充填剤が充填される（特許文献３，４参照）。墓１の大きさは、制限はないが、一実施例では、高さが約２．５ｍ、幅（正面側から見た横寸法）が約２ｍ、奥行きが約２．５ｍである。
【００２３】
図１Ｂに示されているように、納骨室２内には、階段状の載置台３が設置されている。載置台３上に、複数の遺骨を載置することができる。墓１の正面側の前側壁１ｆには、納骨室２に通じる開口４が形成されている。図１Ａに示されているように、開口４は、墓の正面側の前側壁１ｆの中央に位置している。前側壁１ｆを挟んでその両側には、袖石７が配置されている。袖石７の構成は、本実施形態に限定されず、任意である。また、袖石７を省略してもよい。
【００２４】
図１Ａ及び図１Ｂに示されているように、開口４は、下側のベース（敷居材）１０、上側の鴨居材１５、上下方向に沿った一対の側材１７で囲まれた、略矩形を有している。開口４には、開口４を開閉するための扉５が設置されている。扉５は、開口４内に、前側壁１ｆに対して納骨室２側に後退した位置に配置されている。好ましくは、扉５は、墓１の他の部分と同じ天然石からなる。図１Ａに示されているように、扉５の下面及び上面の正面側から見て左端の位置に、下方及び上方に向かって突出した枢動軸５ａ及び枢動軸５ｂが設けられている。枢動軸５ａ及び枢動軸５ｂは、ベース１０及び鴨居材１５に形成された軸孔に嵌入し支持される。扉５は、枢動軸５ａ，５ｂを結ぶ上下方向に沿った軸の周りに回動する開き戸である。図１Ａ〜図１Ｃは、扉５が開口４を閉じた状態を示している。この状態から、正面側から見て、扉５の右側の端を、納骨室２とは反対側に向かって引くことにより、扉５が回転して、開口４を開くことができる。本実施形態では、扉５は、片開き戸であるが、両開き戸であってもよい。扉５は、通常は閉じられている。納骨室２内への骨壺の収容は、扉５を開き、開口４を通じて行われる。
【００２５】
図２は、ベース１０の上方から見た斜視図である。ベース１０は、全体として平面視形状が略矩形の板状体である。ベース１０の平坦な上面の略中央には、固定孔１０ｈが形成されている。固定孔１０ｈは、好ましくはベース１０を上下方向に貫通しない非貫通孔である。ベース１０の上面の後ろ側の辺に沿って、ストッパ１０ｓが上方に向かって突出している。正面側から見てストッパ１０ｓの左端に対して前側の位置に、軸孔１０ａが形成されている。軸孔１０ａに、扉５の下側の枢動軸５ａ（図１Ａ、図１Ｂ参照）が嵌入される。図１Ｂ及び図１Ｃから容易に理解できるように、開口４を扉５で閉じたとき、扉５の裏面（納骨室２側の面）がストッパ１０ｓに衝突する。ストッパ１０ｓは、扉５が、図１Ｂ及び図１Ｃの状態から、納骨室２側に向かって回転するのを防止する。図示を省略するが、ベース１０に対して上下方向に対向する鴨居材１５は、固定孔１０ｈが形成されていない点を除いて、ベース１０と概略面対称形状を有している。
【００２６】
図１Ａ〜図１Ｃに示されているように、香炉２０が、ベース１０上に、扉５に対して前側に配置されている。香炉２０は、ベース１０、鴨居材１５、及び一対の側材１７で囲まれた凹状に窪んだ開口４内に、扉５の前側面に接するように配置されている。
【００２７】
図３に示されているように、香炉２０は、香炉下部２２、香炉上部２３、香炉蓋２４、及び、固定ピン２５を含む。香炉下部２２及び香炉上部２３は香炉本体２１を構成する。
【００２８】
図４Ａは香炉下部２２の平面図、図４Ｂは香炉下部２２の正面図、図４Ｃは香炉下部２２の右側面図である。図３及び図４Ａ〜図４Ｃに示されているように、香炉下部２２は、全体として略直方体形状を有している。一実施例では、香炉下部２２の外寸法は、左右方向に５３ｃｍ、奥行き方向（前後方向）に１８ｃｍ、上下方向に１６ｃｍである。香炉下部２２の上面には、平面視形状が略矩形の突出領域２２ａが形成されている。突出領域２２ａは、その周囲の領域（即ち、香炉下部２２の上面の四辺を含む領域）に対して上方に向かって突出している。突出領域２２ａの中央には、平面視形状が略矩形の窪みである凹部２２ｂが形成されている。凹部２２ｂ内に、香炉下部２２を上下方向に貫通する貫通孔２２ｈが形成されている。香炉下部２２の左右の側面には、手入れ用の窪み２２ｅが形成されている。
【００２９】
図５Ａは香炉上部２３の平面図、図５Ｂは香炉上部２３の正面図、図５Ｃは香炉上部２３の右側面図である。図３及び図５Ａ〜図５Ｃに示されているように、香炉上部２３は、全体として略直方体形状を有している。一実施例では、香炉上部２３の外寸法は、左右方向に５８ｃｍ、奥行き方向（前後方向）に２０ｃｍ、上下方向に１５．５ｃｍである。香炉上部２３の上面の中央には、線香を焚くための、凹状に窪んだ香炉皿２３ａが形成されている。香炉皿２３ａの平面視形状が略矩形の端縁に沿って、枠状突起２３ｂが上方に向かって突出している。香炉上部２３の上面には、香炉皿２３ａの左右方向の両側に、一対の第１凹穴２３ｃ及び一対の第２凹穴２３ｄが形成されている。後ろ側の第１凹穴２３ｃには、例えば花瓶を挿入し保持させることができる。前側の、第１凹穴２３ｃより相対的に浅い第２凹穴２３ｄには、例えば茶碗やコップを挿入し保持させることができる。香炉上部２３の左右の側面には、手入れ用の窪み２３ｅが形成されている。香炉上部２３の下面には、平面視形状が略矩形の窪み領域２３ｇが形成されている。窪み領域２３ｇは、その周囲の領域（即ち、香炉上部２３の下面の四辺を含む領域）に対して窪んでいる。なお、香炉上部２３の上面の形状は、上記に限定されない。例えば香炉皿２３ａや凹穴２３ｃ，２３ｄの配置や数などは任意に設定し得る。
【００３０】
図６Ａは香炉蓋２４の平面図、図６Ｂは香炉蓋２４の正面図、図６Ｃは香炉蓋部２４の右側面図である。図３及び図６Ａ〜図６Ｃに示されているように、香炉蓋２４は、全体として平面視形状が略矩形の板状体である。香炉蓋２４の上面の中央には、香炉蓋２４を持ち上げるための取っ手２４ａが上方に向かって突出している。香炉蓋２４の下面には、平面視形状が略矩形の突出領域２４ｂが形成されている。突出領域２４ｂは、その周囲の領域（即ち、香炉蓋２４の下面の四辺を含む領域）に対して下方に向かって突出している。
【００３１】
香炉２０を構成する香炉下部２２、香炉上部２３、香炉蓋２４の材料は、任意であるが、好ましくは御影石、大理石、石灰石などの天然石が用いられる。更に好ましくは、墓１を構成する天然石と同じ石材が用いられる。香炉下部２２及び香炉上部２３は同じ材料からなることが好ましく、更に、香炉蓋２４もこれらと同じ材料からなることが好ましい。
【００３２】
図３に示されるように、固定ピン２５は、まっすぐな棒状部材である。好ましくは、固定ピン２５の外周面は、外径が固定ピン２５の長手方向に沿って一定である円筒面である。固定ピン２５の材料は、制限はなく、金属材料、樹脂材料、石材など、任意の材料を用いうる。破損しにくいという観点から、金属材料が好ましい。金属材料としては、防錆性の観点から、ステンレス鋼が好ましい。
【００３３】
香炉２０は以下の手順で組み立てられる。
【００３４】
墓１の開口４を扉５で閉じた状態（図１Ａ〜図１Ｃ参照）において、ベース１０上に香炉下部２２を載置する。香炉下部２２の裏面が扉５の前側面に接触するように、香炉下部２２を、墓１の前側壁１ｆに対して凹状に窪んだ開口４内に移動させる。香炉下部２２の移動は、その左右の側面に形成された手入れ用の窪み２２ｅに両手の指を入れて行うことができる。
【００３５】
次いで、香炉下部２２の貫通孔２２ｈに固定ピン２５を挿入する。固定ピン２５の下端２５ａ（図３参照）は、ベース１０の上面に衝突する。この状態で、香炉下部２２の裏面を扉５に接触させながら左右に移動させる。開口４に対して左右方向の略中央位置に香炉下部２２が移動されたとき、固定ピン２５の下端２５ａが、ベース１０の固定孔１０ｈ（図２参照）に嵌入する。これにより、ベース１０に対して香炉下部２２が所定位置に位置決めされる。固定ピン２５の下端２５ａがベース１０の固定孔１０ｈに嵌入したことは、香炉下部２２の上面側から見える固定ピン２５の上端２５ｂ（図３参照）が下方に変位することによって確認できる。
【００３６】
次いで、香炉下部２２上に香炉上部２３を載置する。香炉上部２３の左右の側面に形成された手入れ用の窪み２３ｅに両手の指を入れることで、香炉上部２３を容易に持ち上げることができる。香炉下部２２の上面から突出した突出領域２２ａが、香炉上部２３の下面の窪み領域２３ｇ内に嵌入することにより、香炉上部２３は香炉下部２２に対して左右方向及び前後方向に位置決めされる。
【００３７】
最後に、香炉上部２３の香炉皿２３ａを塞ぐように、香炉蓋２４を香炉上部２３上に載置する。香炉蓋２４の取っ手２４ａを保持することで、香炉蓋２４を容易に持ち上げることができる。香炉蓋２４の下面から突出した突出領域２４ｂが、香炉上部２３の枠状突起２３ｂ内に嵌入することにより、香炉蓋２４は香炉上部２３に対して左右方向及び前後方向に位置決めされる。香炉蓋２４は、香炉上部２３の香炉皿２３ａが雨や雪に曝されるのを防ぐ。
【００３８】
かくして、図１Ａ〜図１Ｃに示すように、扉５の前側に、扉５に近接した状態で、香炉２０を配置することができる。扉５は、前側に回転させることで、開口４を開くことができる開き戸である。しかしながら、扉５の前側に香炉２０が配置された状態では、扉５を回転させて開口４を開くことはできない。香炉下部２２及び香炉上部２３に形成された手入れ用の窪み２２ｅ，２３ｅは、側材１７で隠される。
【００３９】
納骨室２内への骨壺の収容は以下のようにして行う。
【００４０】
図１Ａ〜図１Ｃに示すように、扉５の前側に香炉２０が配置された状態から、香炉２０を分解して移動させる。即ち、最初に、香炉蓋２４を取り除き、次いで、香炉上部２３を取り除き、最後に、香炉下部２２を取り除く。香炉下部２２を取り除くのに先立って、固定ピン２５の上端２５ｂを摘まんで、固定ピン２５を香炉下部２２の貫通孔２２ｈから抜き出す。
【００４１】
このようにして香炉２０を分解してベース１０上から移動させた後、扉５を引いて開口４を開く。開口４を通じて骨壺を納骨室２に収容する。その後、開口４を扉５で閉じる。最後に、扉５の前に、香炉２０を上述した手順で組み立てる。
【００４２】
以上のように、本実施形態の墓１では、従来の墓と同様に、扉５の前に香炉２０が配置されている。扉５を開くためには、香炉２０を扉５の前から移動させる必要がある。
【００４３】
従来の墓の香炉は、納骨室内の収容物に対する盗難やいたずらを防止するために、一体型（香炉蓋を除く）で非常に重い（例えば５０〜６０ｋｇ）。そのため、扉を開くためには、香炉の移動作業を専門の業者に依頼する必要があった。
【００４４】
これに対して、本実施形態の香炉２０は、香炉下部２２及び香炉上部２３を含む、上下方向に積み重ねられた複数の部材で構成されている。香炉２０が、複数の部材に分割されているので、個々の部材は、天然石で構成されていたとしても比較的軽量である。一実施例では、香炉下部２２の重量は約２０ｋｇ、香炉上部２３の重量は約２５ｋｇ、香炉蓋２４は約３ｋｇである。しかも、上述した好ましい実施形態では、香炉下部２２及び香炉上部２３には、手入れ用の窪み２２ｅ，２３ｅが形成されている。従って、香炉下部２２、香炉上部２３、香炉蓋２４をそれぞれ単独で持ち上げて移動させることは比較的容易である。このため、扉５を開くために香炉２０を移動する作業は、素人でも容易に行うことができる。
【００４５】
固定ピン２５が香炉下部２２の貫通孔２２ｈを貫通し、固定ピン２５の下端２５ａがベース１０の固定孔１０ｈに嵌入している。この状態では、香炉２０全体を、ベース１０上で引きずって移動させることはできない。香炉下部２２の貫通孔２２ｈ及び固定ピン２５の上端２５ｂは、香炉上部２３で覆われているので、香炉上部２３を取り除かない限り、固定ピン２５の存在を確認できない。また、上下方向に積み重ねられた香炉下部２２と香炉上部２３とからなる香炉本体２１は、あたかも一体の一部品として認識されうる。このように、本実施形態では、固定ピン２５は香炉２０が移動されるのを防止する「鍵」として機能し、しかも、固定ピン２５（即ち、鍵）の存在自体が認識されにくい。従って、簡単な構造でありながら、香炉２０が移動されて、納骨室２内の収容物が盗難されたりいたずらされたりするのを防止することができる。香炉２０とは別に、扉５に鍵を取り付ける必要はない。
【００４６】
上記の実施形態において、香炉本体２１を構成する香炉下部２２及び香炉上部２３の材料が同じであることが好ましい。これにより、香炉本体２１が一体の一部品として認識される可能性が高くなるので、盗難やいたずらの防止に有利である。
【００４７】
上記の実施形態において、固定ピン２５が香炉下部２２の貫通孔２２ｈを貫通し、且つ、固定ピン２５の下端２５ａがベース１０の固定孔１０ｈに嵌入した状態において、固定ピン２５の上端２５ｂが貫通孔２２ｈの上側の開口より上方に向かって突出していることが好ましい。これにより、上端２５ｂを摘まんで固定ピン２５を貫通孔２２ｈから容易に引き抜くことができる。
【００４８】
この場合、上記の実施形態のように、香炉下部２２の上面に凹部２２ｂが形成され、貫通孔２２ｈは当該凹部２２ｂ内に形成されていることが好ましい。これにより、香炉上部２３を香炉下部２２上に積み重ねる作業時や、香炉上部２３を香炉下部２２上から取り除く作業時に、香炉上部２３が、貫通孔２２ｈから上方に向かって突出した固定ピン２５の上端２５ｂに衝突して、固定ピン２５や香炉上部２３等を破損するトラブルが発生するのを防止することができる。かかる観点から、固定ピン２５が香炉下部２２の貫通孔２２ｈを貫通し、且つ、固定ピン２５の下端２５ａがベース１０の固定孔１０ｈに嵌入した状態において、固定ピン２５の上端２５ｂは、香炉下部２２の最上面（即ち、最も高い位置にある面）よりも低い位置にあることが好ましい。
【００４９】
上記の実施形態は例示にすぎない。本発明は、上記の実施形態に限定されず、適宜変更することができる。
【００５０】
上記の実施形態の墓１は、破風型であったが、本発明はこれに限定されない。例えば、納骨室が地上に位置する他の任意の琉球型の墓（例えば亀甲型）であってもよく、あるいは、納骨室が地下に位置する型式の墓（「内地型」と呼ばれることがある）であってもよい。
【００５１】
扉５は、上記の実施形態のように開口４内の後退した位置に配置されている必要はなく、例えば前側壁１ｆと略同一面をなす位置に配置されていてもよい。
【００５２】
香炉２０を扉５の前に配置したとき、香炉２０の左右の側面や手入れ用の窪み２２ｅ，２３ｅが側材１７で隠されない墓であってもよい。
【００５３】
上記の実施形態の墓１は、天然石を用いて構成されていたが、本発明はこれに限定されない。例えば、墓の一部又は全部がセメントなど任意の材料で構成されていてもよい。
【００５４】
香炉２０の香炉本体２１を構成する部材の数（あるいは、香炉本体２１の分割数）は上記の実施形態に示した２つに限定されない。例えば、香炉下部２２と香炉上部２３との間に、これらとは別部材である一つ以上の中間部材が挿入されていてもよい。香炉本体を構成する部材数が多くなるほど、個々の部材が軽量化されるので、香炉の移動作業が容易になる。但し、部材数が多くなると、香炉２０の分解及び組立の作業が煩雑になったり、香炉２０の製作コストが上昇したりする。香炉本体２１を構成する部材の数に関わらず、全て部材は同一の材料からなることが好ましい。
【００５５】
香炉本体２１を構成する複数の部材の全てが、移動するための手入れ用の窪みを有している必要はない。例えば、各部材の側面に形成した装飾用の凹凸形状等を保持することができれば、手入れ用の窪みを省略しても、部材の移動は容易である。個々の部材に手入れ用の窪みが形成されていないことは、香炉本体２１が複数の部材に分割されていると推測される可能性を低下させるので、盗難やいたずらの防止の観点から好ましい場合がある。
【００５６】
本発明において、香炉蓋を省略してもよい。
【産業上の利用可能性】
【００５７】
本発明の利用分野に制限はなく、納骨室に通じる開口を開閉する扉の前に香炉が配置された全ての墓に本発明を利用することができる。
【符号の説明】
【００５８】
１  墓
２  納骨室
４  開口
５  扉
１０  ベース
１０ｈ  固定孔
２０  香炉
２１  香炉本体
２２  香炉下部
２２ｂ香炉下部の上面の凹部
２２ｅ  手入れ用の窪み
２２ｈ  貫通孔
２３  香炉上部
２３ａ  香炉皿
２３ｅ  手入れ用の窪み
２４  香炉蓋
２５  固定ピン
２５ａ  固定ピンの下端
２５ｂ  固定ピンの上端
【図１Ａ】
0005898723.tif 000002
【図１Ｂ】
0005898723.tif 000003
【図１Ｃ】
0005898723.tif 000004
【図２】
0005898723.tif 000005
【図３】
0005898723.tif 000006
【図４】
0005898723.tif 000007
【図５】
0005898723.tif 000008
【図６】
0005898723.tif 000009